(57)【特許請求の範囲】
【請求項１】
通信手段と、
通信手段による通信状態を検出する通信状態検出手段と、
当該通信状態検出手段の検出の結果、当該通信手段による通信中である場合、ストロボ充電動作を禁止する制御手段
とを具備することを特徴とする撮像装置。
【請求項２】
通信手段と、
通信手段による通信状態を検出する通信状態検出手段と、
当該通信状態検出手段の検出の結果、当該通信手段による通信中である場合、オートフォーカス及びレンズカバーの開閉の何れかを含む機械的動作を禁止する制御手段
とを具備することを特徴とする撮像装置。
【請求項３】
通信手段と、
通信手段による通信状態を検出する通信状態検出手段と、
当該通信状態検出手段の検出の結果、当該通信手段による通信中である場合、データストレージのリード／ライト動作を禁止する制御手段
とを具備することを特徴とする撮像装置。
【請求項４】
通信手段と、
通信手段による通信状態を検出する通信状態検出手段と、
当該通信状態検出手段の検出の結果、当該通信手段による通信中である場合、レリーズスイッチ操作を禁止する制御手段
とを具備することを特徴とする撮像装置。
【請求項５】
通信手段と、
通信手段による通信状態を検出する通信状態検出手段と、
当該通信状態検出手段の検出の結果、当該通信手段による通信中である場合、ユーザの操作によるシャッタの駆動を禁止する制御手段
とを具備することを特徴とする撮像装置。
【請求項６】
当該通信手段が着脱自在である請求項１乃至６のいずれか１項に記載の撮像装置。
【請求項７】
当該制御手段は、前記通信手段による通信が終了した場合、前記制御手段による禁止処理を解除する請求項１乃至７のいずれか１項に記載の記載の撮像装置。
【請求項８】
当該通信手段による通信を中止するための操作手段をさらに有する請求項１乃至８のいずれか１項に記載の撮像装置。
【請求項９】
当該撮像装置は、バスから供給される外部電力で動作することを特徴とする請求項１乃至９のいずれか１項に記載の撮像装置。
【発明の詳細な説明】
【０００１】
【発明の属する技術分野】
本発明は、通信手段を具備する撮像装置に関する。
【０００２】
【従来の技術】
撮像装置では、ストロボ充電、機構部の駆動、内蔵記憶装置へのデータのリード／ライト処理、及びレリーズスイッチの操作等により電源電圧が変動したり、電磁ノイズが発生する。昨今の撮像装置は、外部とデータをやり取りするための通信装置を具備するものがある。
【０００３】
【発明が解決しようとする課題】
通信中に、電源電圧が変動したり、電磁ノイズが発生すると、通信エラーの原因となり、撮像動作を不安定にしたりする。
【０００４】
本発明は、このような通信エラーや不安定な撮像動作を生じない撮像装置を提示することを目的とする。
【０００５】
【課題を解決するための手段】
本発明に係る撮像装置は、通信手段と、通信手段による通信状態を検出する通信状態検出手段と、当該通信状態検出手段の検出の結果、当該通信手段による通信中である場合、ストロボ充電動作を禁止する制御手段とを具備することを特徴とする。
本発明に係る撮像装置は、通信手段と、通信手段による通信状態を検出する通信状態検出手段と、当該通信状態検出手段の検出の結果、当該通信手段による通信中である場合、オートフォーカス及びレンズカバーの開閉の何れかを含む機械的動作を禁止する制御手段とを具備することを特徴とする。
本発明に係る撮像装置は、通信手段と、通信手段による通信状態を検出する通信状態検出手段と、当該通信状態検出手段の検出の結果、当該通信手段による通信中である場合、データストレージのリード／ライト動作を禁止する制御手段とを具備することを特徴とする。
本発明に係る撮像装置は、通信手段と、通信手段による通信状態を検出する通信状態検出手段と、当該通信状態検出手段の検出の結果、当該通信手段による通信中である場合、レリーズスイッチ操作を禁止する制御手段とを具備することを特徴とする。
本発明に係る撮像装置は、通信手段と、通信手段による通信状態を検出する通信状態検出手段と、当該通信状態検出手段の検出の結果、当該通信手段による通信中である場合、ユーザの操作によるシャッタの駆動を禁止する制御手段とを具備することを特徴とする。
【０００６】
【実施例】
以下、図面を参照して、本発明の実施例を詳細に説明する。
【０００７】
図１は、本発明の一実施例の概略構成ブロック図を示す。１０は、本実施例の本体、１２はストロボ、１４はシヤッタ、１６はレンズ、１８は絞り、２０は光信号を電気信号に変換する撮像素子、２２は、シヤッタ１４、レンズ１６及び絞り１８を駆動する駆動回路、２４は、プログラム、画像データ及び不安定動作情報（例えば、ストロボ充電動作、絞り、オートフォーカス及びレンズカバーの開閉等の機械的な動作、後述するデータストレージ装置３２のリード／ライト動作、並びに、レリーズスイッチ動作）を保持するメモリ、２６は全体を管理及び制御するＣＰＵ、２８は、ユーザの操作するスイッチ類、３０は内蔵バッテリ、３２は、データストレージ装置、３４は、外部と画像データ及び制御データ等の種々のデータをやりとりするためのＩ／Ｏカードである。
【０００８】
内蔵バッテリ３０の代わりに、外部電源、例えば、ＵＳＢ（ユニバーサル・シリアル・バス）等から供給される電力を使用しても良い。Ｉ／Ｏカード３４は、固定式でも、着脱自在でも、どちらでもよい。
【０００９】
図２は、本実施例の第１の動作のフローチャートを示す。ＣＰＵ２６は、Ｉ／Ｏカード３４が通信中かどうかを判別し（Ｓ１）、通信状態でなければ直ちに動作を停止し、通信中ならば（Ｓ１）、ユーザからの通信中止指令の有無（Ｓ２）及び異常発生（Ｓ３）を調べる。スイッチ類２８の操作によりユーザから通信中止指令が入力されたら（Ｓ２）、通信を中止（例えば、通信回線を閉鎖）して（Ｓ８）、終了する。ＣＰＵ２６は、Ｉ／Ｏカード３４から通信状態情報を受け取り、例えば通信相手の異常発生及びコード外れ等の何らかの異常の発生を判別し（Ｓ３）、通信続行が不可能な場合には、通信を中止して（Ｓ８）、終了する。
【００１０】
ユーザからの通信中止指令が無く（Ｓ２）、異常も発生しないままに（Ｓ３）、通信を終了すべきときがきたら（Ｓ４）、そのまま終了する。通信を継続する場合には（Ｓ４）、ユーザの操作による又はメモリ２４内のプログラムによるストロボ１２の充電を禁止し（Ｓ５）、ユーザの操作による又はメモリ２４内のプログラムによるシヤッタ１４、レンズ１６及び絞り１８の駆動を禁止し（Ｓ６）、ユーザの操作による又はメモリ２４内のプログラムによるデータストレージ装置３２へのデータのリード／ライトを禁止して（Ｓ７）、Ｓ１に戻る。
【００１１】
このように、図２に示す動作では、電圧変動をもたらすような動作を通信中に禁止するので、電圧変動に基づく通信エラーを大幅に低減できる。
【００１２】
図２では、通信中には、ストロボ充電、機械的な駆動及びデータストレージ装置３２へのアクセスを禁止しているが、その何れか１又は２つ以上を禁止するようにしてもよいことは明らかである。
【００１３】
本実施例は、図３に示す動作フローチャートに示すように動作させてもよい。ＣＰＵ９２６は、Ｉ／Ｏカード３４が通信開始状態かどうかを判別し（Ｓ１１）、、通信開始状態ならば（Ｓ１１）、ユーザの操作による又はメモリ２４内のプログラムによるストロボ１２の充電を禁止し（Ｓ１２）、ユーザの操作による又はメモリ２４内のプログラムによるシヤッタ１４、レンズ１６及び絞り１８の駆動を禁止し（Ｓ１３）、ユーザの操作による又はメモリ２４内のプログラムによるデータストレージ装置３２へのデータのリード／ライトを禁止して（Ｓ１４）、終了する。
【００１４】
通信開始状態でない場合（Ｓ１）、ユーザからの通信中止指令の有無（Ｓ１５）及び異常発生（Ｓ１６）を調べる。スイッチ類２８の操作によりユーザから通信中止指令が入力されたら（Ｓ１５）、通信を中止（例えば、通信回線を閉鎖）し（Ｓ１８）、ストロボ充電、機械的な駆動及びデータストレージ装置３２へのアクセスの禁止を解除して（Ｓ１９）、終了する。通信異常が発生した場合も（Ｓ１６）、通信を中止し（Ｓ１８）、ストロボ充電、機械的な駆動及びデータストレージ装置３２へのアクセスの禁止を解除して（Ｓ１９）、終了する。
【００１５】
通信を終了すべきときには（Ｓ１７）、ストロボ充電、機械的な駆動及びデータストレージ装置３２へのアクセスの禁止を解除して（Ｓ１９）、終了する。通信を終了しないときには、そのまま終了する。
【００１６】
ストロボ充電、機械的な駆動及びデータストレージ装置３２へのアクセスの禁止を解除することにより（Ｓ１９）、撮像動作及びデータ・ストレージ装置３２へのアクセスが実行可能になる。
【００１７】
図３では、通信開始前にストロボ充電、機械的な駆動及びデータストレージ装置３２へのアクセスを禁止しているが、その何れか１又は２つ以上を禁止するようにしてもよいことは明らかである。
【００１８】
図３に示す動作では、通信開始から終了までの間、電圧変動を起こす動作が禁止されるので、電圧変動に基づく通信エラーを大幅に低減できる。
【００１９】
【発明の効果】
以上の説明から容易に理解できるように、本発明によれば、不安定動作や通信エラー発生を防止できる。
【図面の簡単な説明】
【図１】  本発明の一実施例の概略構成ブロック図である。
【図２】  本発明の第１動作手順を示すフローチャートである。
【図３】  本発明の第２動作手順を示すフローチャートである。
【符号の説明】
１０：本体
１２：ストロボ
１４：シヤッタ
１６：レンズ
１８：絞り
２０：撮像素子
２２：駆動回路
２４：メモリ
２６：ＣＰＵ
２８：スイッチ類
３０：内蔵バッテリ
３２：データストレージ装置
３４：Ｉ／Ｏカード
【図１】
0004185603.tif 000002
【図２】
0004185603.tif 000003
【図３】
0004185603.tif 000004